(57)【特許請求の範囲】
【請求項１】
無線通信ネットワークを介して情報を取得し、着信を検出するように構成された無線通信部と、
前記情報を投影するように構成された投影部と、
周囲の照度を検出するように構成された光センサと、
前記情報の投影中において前記着信を検出した場合には、前記照度が所定値以上のときに限り、前記情報の投影を停止して前記着信を報知するように構成された制御部と、を備えることを特徴とする携帯通信端末。
【請求項２】
携帯通信端末によって、周囲の照度を検出する工程と、
無線通信ネットワークを介して情報を取得する工程と、
前記情報を投影する工程と、
着信を検出する工程と、を含む投影方法であって、
前記情報の投影中に前記着信を検出した場合には、前記照度が所定値以上のときに限り、前記携帯端末によって、前記情報の投影を停止して前記着信を報知する工程を含むことを特徴とする投影方法。
【請求項３】
携帯端末に備えたコンピュータに、周囲の照度を検出する処理と、
無線通信ネットワークを介して情報を取得する処理と、
前記情報を投影する処理と、
着信を検出する処理と、を実行させる投影プログラムであって、
前記情報の投影中に前記着信を検出した場合には、前記照度が所定値以上のときに限り、前記携帯端末に備えたコンピュータに、前記情報の投影を停止して前記着信を報知する処理を実行させることを特徴とする投影プログラム。
【発明の詳細な説明】
【技術分野】
【０００１】
本発明は携帯通信端末並びに投影方法及びプログラムに関し、特に、プロジェクタ付きの携帯通信端末並びに投影方法及びプログラムに関する。
【背景技術】
【０００２】
従来、ビジネス会議等において、プレゼンテーションを行う場合、プロジェクタ、パソコン、ポインタ等を用意する必要があった。したがって、プレゼンテーションを行うことのできる場所は、設備の整った会議室等に限られていた。
【０００３】
また、仮に設備が整った会議室等においてプレゼンテーションを行う場合であっても、プロジェクタを準備し、パソコンとプロジェクタとを接続し、プロジェクタ及びパソコンの設定を行うなど、複雑な接続、設定作業を行う必要があった。そこで、以下の特許文献１ないし３のように携帯端末を利用したプロジェクタが提案されている。
【０００４】
特許文献１において、プロジェクタ付き電子機器をクレードル等の補助装置と組み合わせた投影システムが記載されている。投影システムは、電源回路によって、クレードル上に載置されているプロジェクタ付き携帯電話機へ電源供給を行うとともに、クレードルの機器載置部にプロジェクタ付き携帯電話機が載置されたか否かを検出するように構成されている。
【０００５】
また、特許文献２において、携帯端末の充電時、ユーザが現在の充電ステータスを容易に判断することができる携帯端末及び充電装置が記載されている。携帯電話機は、外部電源供給の有無を監視し、電池の装着が確認された場合は、プロジェクタ部を起動するように構成される。
【０００６】
さらに、特許文献３において、投影動作と他の機能とを連携した、プロジェクタ付き携帯電話機が記載されている。プロジェクタ付き携帯電話機は、プロジェクタモジュールによるコンテンツ投影中に通話開始操作が行われると投影を中断し、通話が終了すると投影を再開する。
【０００７】
【特許文献１】特開２００７−０７４６５３号公報
【特許文献２】特開２００７−１３５３４１号公報
【特許文献３】特開２００７−０７４６５２号公報
【発明の開示】
【発明が解決しようとする課題】
【０００８】
以下の分析は、本発明者によってなされたものである。上記の特許文献１ないし３に記載の携帯通信端末では、プロジェクタによる投影中に、携帯通信端末によって着信を受けた場合には、プレゼンテーションが中断されるという問題がある。
【０００９】
そこで、携帯通信端末によって情報を投影している最中に着信を受けた場合であっても、投影動作を継続することができる携帯通信端末並びに投影方法及びプログラムを提供することが課題となる。
【課題を解決するための手段】
【００１０】
本発明の第１の視点に係る携帯通信端末は、
無線通信ネットワークを介して情報を取得し、着信を検出するように構成された無線通信部と、
前記情報を投影するように構成された投影部と、
周囲の照度を検出するように構成された光センサと、
前記情報の投影中において前記着信を検出した場合には、前記照度が所定値以上のときに限り、前記情報の投影を停止して前記着信を報知するように構成された制御部と、を備えることを特徴とする。
【００１１】
本発明の第２の視点に係る投影方法は、
携帯通信端末によって、周囲の照度を検出する工程と、
無線通信ネットワークを介して情報を取得する工程と、
前記情報を投影する工程と、
着信を検出する工程と、を含む投影方法であって、
前記情報の投影中に前記着信を検出した場合には、前記照度が所定値以上のときに限り、前記携帯端末によって、前記情報の投影を停止して前記着信を報知する工程を含むことを特徴とする。
【００１２】
本発明の第３の視点に係る投影プログラムは、
携帯端末に備えたコンピュータに、周囲の照度を検出する処理と、
無線通信ネットワークを介して情報を取得する処理と、
前記情報を投影する処理と、
着信を検出する処理と、を実行させる投影プログラムであって、
前記情報の投影中に前記着信を検出した場合には、前記照度が所定値以上のときに限り、前記携帯端末に備えたコンピュータに、前記情報の投影を停止して前記着信を報知する処理を実行させることを特徴とする。
【発明の効果】
【００１３】
本発明によって、携帯通信端末によって情報を投影している最中に着信を受けた場合であっても、投影動作を継続することができる携帯通信端末が提供される。なぜなら、携帯通信端末は、投影中でない場合、又は、投影中において周囲照度が所定値以上の（明るい）場合に限って、情報の投影を停止して着信を報知するからである。
【発明を実施するための最良の形態】
【００１４】
本発明の実施形態に係る携帯通信端末について図面を参照して説明する。図１は、本発明の実施形態に係る携帯通信端末５０の構成を示すブロック図である。図１を参照すると、携帯通信端末５０は、無線通信部５１、投影部５２、光センサ５３及び制御部５４を備える。
【００１５】
無線通信部５１は、無線通信ネットワークを介して情報を取得し、着信を検出する。投影部５２は、取得した情報を投影する。光センサ５３は、周囲の照度を検出する。制御部５４は、取得した情報の投影中において、着信を検出した場合には、照度が所定値以上のときに限り、情報の投影を停止して着信を報知する。
【実施例】
【００１６】
本発明の実施例に係る携帯通信端末について、図面を参照して説明する。図２は、本実施例に係る携帯通信端末１００の構成を示す図である。携帯無線端末１００は、一例として、通信機能（通話、メール送受信、インターネット接続）、撮影機能、投影機能等を備えた折畳み型の携帯情報処理装置であってもよく、プログラム制御によって動作するものであってもよい。
【００１７】
図２を参照すると、携帯通信端末１００は、上側ユニット１０と、下側ユニット２０と、結合部３０とを備える。結合部３０は、上側ユニット１０と下側ユニット２０を開閉自在に電気的及び構造的に接続する。上側ユニット１０は、撮像部１０２ａ、受話部（スピーカ）１０６、表示部１０７ａ、１０７ｂを有する。下側ユニット２０は、撮像部１０２ｂ、投影部１０３、送話部（マイク）１０５、操作部１０８ａ、操作部（サイドキー）１０８ｂを有する。
【００１８】
図３は、本発明の実施例に係る携帯通信端末１００の構成を示すブロック図である。図３を参照すると、携帯通信端末１００は、無線通信部１０１、撮像部１０２、投影部１０３、音声処理部１０４、送話部（マイク）１０５、受話部（スピーカ）１０６、表示部１０７、操作部１０８、状態検出部１０９、光センサ１１０、載置センサ１１１、スピーカ部１１２、記憶部１１３、制御部１１４、を備える。
【００１９】
無線通信部１０１は、アンテナを介して図示しない無線基地局装置との間で無線により情報の送受を行う。撮像部１０２は、上側ユニット１０の内面（１０２ａ）及び下側ユニット２０の外面（１０２ｂ）に配設されて画像を取得（撮影）する。
【００２０】
投影部１０３は、下側ユニット２０の外面に配設されて光学像をスクリーンや壁面に向けて投影する。
【００２１】
音声処理部１０４は、送話部（マイク）１０５及び受話部（スピーカ）１０６を介して入出力された音声信号の処理を行う。
【００２２】
表示部１０７は、有機ＥＬや液晶表示装置等から構成され、上側ユニット１０の内面（１０７ａ）及び外面（１０７ｂ）に配設されて画像、図形、文字、記号などの情報表示出力を行う。
【００２３】
操作部１０８は、下側ユニット２０の内面に配設された円形の操作子（４方向キー、接触操作子）及びテンキー（１０８ａ）並びに下側ユニット２０の外面（側面）に配設されたサイドキー（１０８ｂ）を備え、利用者の操作を入力として受け付ける。
【００２４】
載置センサ１１１は、磁気若しくはホール素子又は凸部／押下スイッチ等の既知のセンサによって、携帯通信端末１００の図示しない充電器（載置台）への載置を検出する（充電状態の監視を行うようにしても良い。）。光センサ１１０は、携帯通信端末１００の周囲の照度を検出する。状態検出部１０９は、載置センサ１１１及び光センサ１１０の出力を監視して携帯通信端末１００の状態を検出する。
【００２５】
スピーカ部１１２は、楽音や報知音などの鳴音出力を行う。記憶部１１３は、無線通信部１０１を介して取得された情報、電話帳情報、送受信メール情報、発着呼の情報やコンテンツ情報、撮影画像、アプリケーションプログラム情報、携帯通信端末１００の諸設定等を格納する。
【００２６】
制御部１１４は、電話機能、メール機能、インターネット（Ｗｅｂ）接続機能、撮像機能、投影機能、コンテンツ再生機能、その他の端末の有する機能や各部の制御を行う。
【００２７】
次に、本発明の実施例に係る携帯通信端末１００の動作について、図面を参照して説明する。図４は、本実施例に係る携帯通信端末１００の動作を示すフローチャートである。
【００２８】
携帯通信端末１００の制御部１１４は、利用者による投影指示操作を受けると（ステップＳ１１のＹｅｓ）、充電器（非図示）と接続されているか否かを載置センサ１１１の出力に基づいて判別し（ステップＳ１２）、載置状態（充電中）の場合（ステップＳ１２のＹｅｓ）にのみ、無線通信部を介して受信した情報を投影する（ステップＳ１３）。すなわち、投影によるバッテリ切れとならないように、制御部１１４は、充電器との接続状態にある場合のみ、投影部１０３による受信データの投影を許可する。一方、載置状態でない場合（ステップＳ１２のＮｏ）には、受信データの投影を行わない。
【００２９】
図５は、本実施例に係る携帯通信端末１００が着信を受けた際の動作を示すフローチャートである。
【００３０】
制御部１１４は、携帯通信端末１００に着信があった場合（ステップＳ２１のＹｅｓ）には、投影部１０３による情報の投影中であるか否かを判別する（ステップＳ２２）。投影中でない場合（ステップＳ２２のＮｏ）には、着信表示を行う（ステップＳ２６）。一方、投影中の場合（ステップＳ２２のＹｅｓ）には、周囲照度が所定値以上の（明るい）とき（ステップＳ２３のＹｅｓ）にのみ、投影部１０３の投影動作を停止して表示部１０７による着信表示を行う（ステップＳ２４）。一方、投影中の場合において、周囲照度が所定値以下の（暗い）とき（ステップＳ２３のＮｏ）には、投影部１０３の投影動作を継続し、着信表示を回避する（ステップＳ２５）。
【００３１】
以上の動作によって、携帯通信端末１００によって情報を投影している最中に着信を受けた場合であっても、投影動作を継続することができる。また、暗い場所における投影動作の最中に、携帯通信端末１００の表示部１０７に着信表示が鮮明に表示されることによって、プレゼンテーションから注意が殺がれることも防ぐことができる。
【００３２】
以上の記載は実施例に基づいて行ったが、本発明は、上記実施例に限定されるものではない。
【図面の簡単な説明】
【００３３】
【図１】本発明の実施形態に係る携帯通信端末の構成を示すブロック図である。
【図２】本発明の実施例に係る携帯通信端末の構成を示す図である。
【図３】本発明の実施例に係る携帯通信端末の構成を示すブロック図である。
【図４】本発明の実施例に係る携帯通信端末の動作を示すフローチャートである。
【図５】本発明の実施例に係る携帯通信端末の動作を示すフローチャートである。
【符号の説明】
【００３４】
１０  上側ユニット
２０  下側ユニット
３０  結合部
５０、１００  携帯通信端末
５１、１０１  無線通信部
５２、１０３  投影部
５３、１１０  光センサ
５４、１１４  制御部
１０２、１０２ａ、１０２ｂ  撮像部
１０４  音声処理部
１０５  送話部（マイク）
１０６  受話部（スピーカ）
１０７、１０７ａ、１０７ｂ  表示部
１０８、１０８ａ、１０８ｂ  操作部
１０９  状態検出部
１１１  載置センサ
１１２  スピーカ部
１１３  記憶部
【図１】
0004924471.tif 000002
【図２】
0004924471.tif 000003
【図３】
0004924471.tif 000004
【図４】
0004924471.tif 000005
【図５】
0004924471.tif 000006